(57)【要約】    本発明は、少なくとも一つの容器（１２）を画定する一つの内壁（２０）及び一つの外壁（２０）を含む、剃刀カートリッジ（３６）を用いるシェービング補助ディスペンシング装置（１０）を開示する。ディスペンシング装置の内壁は更にシェービングカートリッジを通す大きさの開口（２６）を画定する。ストレージ媒体（１４）は一つ又は複数の容器内に配置され、その容器の内部を充填する。シェービング補助物質（１６）はシェービング補助ストレージ物質内部に分布する。芯（１８）は容器を実質上覆い、毛管運動によりシェービング補助ストレージ物質からシェービング補助を汲み上げるよう作用する。したがって、本発明は、ユーザに対し、シェービングの操作中にシェービング補助物質を容易に供給する、剃刀カートリッジに隣接するシェービング補助ディスペンシング装置を提供する。【選択図】          図１
2007504928.tif 000002
【特許請求の範囲】
【請求項１】
一つの内壁と一つの外壁により画定される少なくとも一つの容器と、前記内壁が更に一つの剃刀カートリッジを通す開口を画定し、
前記容器内に配置されるストレージ媒体と、
前記ストレージ媒体内に分布されるシェービング補助物質と、
前記容器を実質上覆う芯と、前記芯が毛管運動により前記ストレージ媒体から前記シェービング補助物質を汲み上げるよう作用することを特徴とする、
シェービング補助ディスペンシング装置。
【請求項２】
少なくとも２つの前記容器を持ち、前記容器が容器の壁により分離している、請求項１記載のシェービング補助ディスペンシング装置。
【請求項３】
前記ストレージ媒体が実質上前記容器を充填する、請求項１記載のシェービング補助ディスペンシング装置。
【請求項４】
前記ストレージ媒体が芯の内壁に接触している、請求項３記載のシェービング補助ディスペンシング装置。
【請求項５】
前記ストレージ媒体の少なくとも一部分が繊維質の物質からなる、請求項３記載のシェービング補助ディスペンシング装置。
【請求項６】
前記ストレージ媒体の少なくとも一部分が押し出し状の繊維からなる、請求項４記載のシェービング補助ディスペンシング装置。
【請求項７】
前記ストレージ媒体の少なくとも一部分が紡いだ繊維からなる、請求項４記載のシェービング補助ディスペンシング装置。
【請求項８】
前記芯の少なくとも一部分が繊維質の物質からなる、請求項１記載のシェービング補助ディスペンシング装置。
【請求項９】
前記芯が鋳造可能である、請求項１記載のシェービング補助ディスペンシング装置。
【請求項１０】
前記芯が丸い外面を持つよう鋳造される、請求項９記載のシェービング補助ディスペンシング装置。
【請求項１１】
前記芯が前記ディスペンシング装置に離脱可能に連結する、請求項１記載のシェービング補助ディスペンシング装置。
【請求項１２】
前記芯が通常の使用の際に離脱しないよう前記ディスペンシング装置に連結する、請求項１記載のシェービング補助ディスペンシング装置。
【請求項１３】
少なくとも一つの刃先を持つ剃刀カートリッジと、
少なくとも一つの容器を画定する一つの内壁と一つの外壁を持つシェービング補助ディスペンシング装置と、前記内壁が更に前記シェービングカートリッジを通す開口を画定し、
前記容器内に配置されるストレージ媒体と、
前記ストレージ媒体内に分布されるシェービング補助物質と、
前記容器を実質上覆う芯と、前記芯が毛管運動により前記ストレージ媒体から前記シェービング補助物質を汲み上げるよう作用することを特徴とする、
シェービング装置。
【請求項１４】
更に一つのハンドルを持つ、請求項１３記載のシェービング装置。
【請求項１５】
前記剃刀カートリッジが複数の刃先を持つ、請求項１４記載のシェービング装置。
【請求項１６】
前記刃先がシェーブの方向に対し実質上同一の方向に配置される、請求項１５記載のシェービング装置。
【請求項１７】
少なくとも一つの刃先が他の一つの刃先に対し実質上異なる方向に配置される、請求項１５記載のシェービング装置。
【請求項１８】
前記剃刀カートリッジが通常の使用の際に離脱しないよう前記ハンドルに装着される、請求項１４記載のシェービング装置。
【請求項１９】
前記剃刀カートリッジが離脱できるよう前記ハンドルに装着される、請求項１４記載のシェービング装置。
【請求項２０】
前記剃刀カートリッジが通常の使用の際に離脱しないよう前記ディスペンシング装置に装着される、請求項１４記載のシェービング装置。
【請求項２１】
前記剃刀カートリッジが離脱できるよう前記ディスペンシング装置に装着される、請求項１４記載のシェービング装置。  
【請求項２２】
前記ディスペンシング装置が通常の使用の際に離脱しないよう前記ハンドルに装着される、請求項１４記載のシェービング装置。  
【請求項２３】
前記ディスペンシング装置が離脱できるよう前記ハンドルに装着される、請求項１４記載のシェービング装置。  
【請求項２４】
前記ストレージ媒体が外部より補充が可能である、請求項１４記載のシェービング装置。
【請求項２５】
前記芯が選択的に前記容器から取り外しが可能である、請求項１４記載のシェービング装置。
【請求項２６】
前記ストレージ媒体が選択的に新規のストレージ媒体と代替が可能である、請求項２５記載のシェービング装置。
【請求項２７】
前記剃刀カートリッジの前記刃先が実質上前記芯の外面に隣接する、請求項１３記載のシェービング装置。
【請求項２８】
一つの内壁と一つの外壁により画定される少なくとも一つの容器と、前記内壁が更に剃刀カートリッジを通す開口を画定し、
前記容器内に配置されるストレージ媒体と、
前記容器を実質上覆う芯と、前記芯が毛管運動により前記ストレージ媒体からシェービング補助物質を汲み上げるよう作用することを特徴とする、
シェービング補助ディスペンシング装置。
【請求項２９】
少なくとも一つの刃先を持つ剃刀カートリッジと、
少なくとも一つの容器を画定する一つの内壁と一つの外壁を持つシェービング補助ディスペンシング装置と、前記内壁が更に前記シェービングカートリッジを通す開口を画定し、
前記容器内に配置されるストレージ媒体と、
前記容器を実質上覆う芯と、前記芯が毛管運動により前記ストレージ媒体からシェービング補助物質を汲み上げるよう作用することを特徴とする、
シェービング装置。
【発明の詳細な説明】
【技術分野】
【０００１】
関連出願の相互参照
本願は、２００３年６月９日に出願された米国仮特許６０／４７６,９８９に基づく優先権を主張する。
【０００２】
発明の分野
本発明は、一般的にシェービング装置に係わり、特にシェービング補助ディスペンシング装置を有するシェービング補助装置に関する。
【背景技術】
【０００３】
シェービング補助物質の塗布について、複数の手法が知られている。通常は、ユーザの手又はブラシにより、シェービングクリーム、ソープ、ジェル、リキッドを塗布する。しかしながら、剃刀の設計と一体化したシェービング補助の塗布方法も幾つか知られている。例えば、剃刀刃カートリッジに装着された固形の潤滑ストリップ、ポンプ、ふいご、バルブ、ピストンを使用し剃刀の設計と一体化したディスペンサーが広く知られている。しかしながら、各手法はシェービング補助が固形であることを必要とする。シェービング補助が固形でない場合は、ユーザに対し、シェービング補助を塗布するため何かしらのメカニズムを作動させる必要がある。したがって、ユーザに対し、非固形シェービング補助を容易に提供し、如何なるメカニズムを必要としない、シェービング補助ディスペンシング装置を備えることが望ましい。
【発明の開示】
【課題を解決するための手段】
【０００４】
本発明の一態様において、剃刀カートリッジを使用するシェービング補助物質ディスペンシング装置は、少なくとも一つの容器を画定する一つの内壁及び一つの外壁及び一つの剃刀刃カートリッジを通す大きさの一つの開口を含む。ストレージ媒体は、容器内部に配置され、実質上容器内部を充填している。ストレージ媒体は、シェービング補助物質を貯蔵するよう作用する。芯は容器を実質上覆い、シェービング補助物質をストレージ媒体から毛管作用により汲み上げるよう作用する。
【０００５】
本発明のもう一つの態様において、シェービング装置は、ハンドル、剃刀刃カートリッジ、前述したシェービング補助ディスペンシング装置を含む。シェービング補助ディスペンシング装置は、少なくとも一の容器及び一つの開口を画定する一つの内壁及び一つの外壁を含む。剃刀カートリッジは、ディスペンシング装置の開口内部に配置される。ストレージ媒体は、容器内部に配置され、実質的に容器内部を充填している。シェービング補助物質は、ストレージ媒体内部に分布される。芯は実質上ディスペンシング装置の容器を覆い、シェービング補助物質をストレージ媒体から毛管作用により汲み上げるよう作用する。シェービングカートリッジ及びシェービング補助ディスペンシング装置は、ハンドルに連結される。
【発明の効果】
【０００６】
本発明の一つの利点として、シェービング補助物質がリキッド、クリーム、ジェルフォームであることである。
【０００７】
本発明のもう一つの利点として、シェービング補助ディスペンシング装置は、ユーザに対し、ディスペンシング装置からシェービング補助物質を供給するメカニズムを作動することを必要としないことである。
【０００８】
本発明の更なる利点として、本発明により“要求に応じて”シェービング補助物質を適用できることである。 
【０００９】
本発明の幾つかの実施例では、シェービング補助ディスペンシング装置を組み込んだ剃刀カートリッジの更なる利点を提供する。
【００１０】
本発明の前述した利点及び他の利点は、本発明の詳細な説明及び付随する図面に鑑みて、より明白なものとなるだろう。
【発明を実施するための最良の形態】
【００１１】
図１は、本発明のシェービング補助ディスペンシング装置１０の一実施態様を示す。シェービング補助ディスペンシング装置１０は、少なくも一つの容器１２、一つのストレージ媒体１４、一つのシェービング補助物質１６及び一つの芯１８を含む。
【００１２】
図２は、一つの内壁２０及び一つの外壁２２を含むディスペンシング装置１０を示す。内壁２０及び外壁２２は少なくとも一つの容器１２を画定する。内壁２０は更に剃刀刃カートリッジを受容できる大きさの開口２６を画定する。ディスペンシング装置１０は、シェービング装置又はシェービング補助ストレージ装置（例えば、ポリマー材料）を構成する適切な物質からなる。ディスペンシング装置１０の外形は、外壁２２により画定され如何なる形態を有することができる。しかしながら、楕円形の形体が特に有用である。
【００１３】
図２Ａ及び図２Ｂを参照すると、ディスペンシング装置１０は、更に一つ以上の容器の壁２８を含む可能性がある。容器の壁２８は、ディスペンシング装置１０を２つ以上の異なる容器１２に分割するのに用いられる。図２Ｂを参照することにより、容器の壁２８は、所望の割合でシェービング補助物質１６を施す又は／及び複数の容器１２を作り出すために、一つ又は複数の容器１２のサイズを小さくするかもしれない。一つ以上の容器１２を持つ実施態様において、容器１２は異なるサイズ及び形体を持つかもしれない。  
【００１４】
図３は、容器１２に配置するストレージ媒体１４を示す。ストレージ媒体１４は如何なる適切な物質からなる。適切なストージ媒体１４の例として繊維性物質があり、特に有用である。好ましい実施態様として、ストレージ媒体１４は、ウール、ファイバーフィル、セルロース、アセテート等の紡いだ繊維又は押し出した繊維からなる。一つ以上の容器１２がある実施態様において、一つ以上の種類のストレージ媒体１４を用いる可能性がある。典型的には、ストレージ媒体１４は実質的にはそのストレージ媒体１４が配置されている容器１２の内部を充填する。
【００１５】
図３を更に参照すると、シェービング補助物質１６がストレージ媒体１４内部に分布される。ここにおいて、“シェービング補助”の用語は非固形体の物質を意味し、シェービングの準備作業を補助し、シェービングの前後又はシュービングの途中において皮膚に施す。一般に良く知られている非固形のシェービング補助物質１６の例として、シェービングクリーム、ソープ、ジェル及びリキッド、アフターシェーブリキッド、ローション、クリーム及びジェルが含まれる。本リストは、当業者によって知られている全ての非固形のシェービング補助物質１６を含んではいない。図２Ａ及び図２Ｂ等の一つ以上の容器１２を持つ実施態様において、多様なシェービング補助物質１６は異なる容器１２のストレージ媒体１４の内部で分布されるかもしれない。
【００１６】
図４を参照すると、内面３０（図１に図示される）及び外面３２を持つ芯１８はディスペンジング装置１０上に設置され、容器１２を実質的に覆う。芯１８の内面３０はストレージ媒体１４に接触するよう設置される（図１に図示される）。芯１８は、シェービング補助物質１６をストレージ媒体１４から芯１８の外面３２の方に毛管作用により汲み上げるよう作動する。ここで使用する“毛管作用”の用語は、非固形物資が芯を通過する際に、二つの物質との間の接着力及び粘着力により生じた芯１８を通過する非固形物質の自然の力を意味する。芯１８の多孔率及びシェービング補助物質１６の性質は、シェービング補助物質１６が芯１８を通過し汲み上げる比率に影響を及ぼす要因となる。芯１８は繊維質の物質から成ることが好ましい。バージニア州  コロニアルハイツのフィルトロナ・インターナショナル・リミテッド等が販売している市販の不織布製品は、本発明の芯１８を製造するのに適切であり、シェービング補助物質１６を所望する流量で流出するよう製造される。或る応用において、芯１８は実質的にストレージ媒体１４と同様な物質で製造されるかもしれない。
【００１７】
図４Ａ及び図４Ｂ等の一つ以上の容器１２がある実施態様では、複数の芯１８があり、同等又は異なる物質が使用されるかもしれない。
【００１８】
最終製品の使用目的に応じて、芯１８は、普通の使用の際に除去されないよう容器１２上に付加される。もう一つの方法として、芯１８はディスペンシング装置１０から選択的に除去される。何れかの実施態様においても、消耗されたストレージ媒体１４は追加のシェービング補助物質１６により補充することができる。例えば、シェービング補助物質１６を含む注射器を、芯１８を介して消耗したストレージ媒体１４に注入し、追加のシェービング補助物質１６を元のストレージ媒体１４に分散させる。芯１８が選択的にディスペンシング装置１０から除去できる実施態様において、芯１８は除去され、シェービング補助物質１６は露出されたストレージ媒体１４に分散される。他方では、芯１８が一度除去されると、ストレージ媒体１６は、選択的にシェービング補助物質１６が充填される新規のストレージ媒体１４、及びもし要望するのであれば新規の芯１８により、代替される。
【００１９】
更に、芯１８は鋳造でき、図４及び図４Ａに図示されるように、丸い外面３４を持つことが望ましい。丸い外面３４はシェーブされる面と芯１８の外面３２との接触を働きかけ、芯１８に、ストレージ媒体１４から芯１８を介してシェービング補助物質１６を汲み上げるよう作用する。
【００２０】
図５を参照することにより、本発明のもう一つの態様において、シェービング装置３９は、前述したシェービング補助ディスペンシング装置１０、剃刀カートリッジ３６及びハンドル３８を含むよう提供される。
【００２１】
剃刀カートリッジ３６は少なくとも一つの刃先４０を持ち、ディスペンシング装置１０又はハンドル３８に連結されるかもしれない。何れかの実施態様においても、剃刀カートリッジ３６は開口２６内部に設置され、実質的に内壁２０により囲まれる。剃刀カートリッジ３６は、少なくとも刃先４０の一部分が開口２６から外側に突出するよう設置される。芯１８の外面３２は、剃刀カートリッジ３６の一枚又は一枚以上の刃先４０に実質上隣接するよう配置される。このような配置は、ユーザに対し芯１８の外面３２及び剃刀カートリッジ３６の一枚又は一枚以上の刃先４０を同時にシェーブされる面に接触させる。  
【００２２】
或る実施態様において、剃刀カートリッジ３６は複数の刃先４０を有する。剃刀カートリッジ３６の刃先４０は、同一の方向にカットするよう配置される。一方では、剃刀カートリッジ３６の刃先４０は、図６に図示されるように、少なくとも一枚の刃先４０が少なくとも他の一枚の刃先とは実質的に違う方向でカットするよう配置される。図６において、多方向性の刃先４０が丸い形状で示されているが、多方向性のカッティングを実施するために、異なる幾何学的形状を用いたり、又は線形の刃先を任意に配置させることが可能である。
【００２３】
図５を参照すると、ハンドル３８は如何なる適切な物質及び形状を持つことが可能である。しかしながら、成形プラスティックハンドル３８は、ユーザに対しハンドル３８が握り易い形状とすることが特に有用である。
【００２４】
剃刀カートリッジ３６は、通常の使用において離脱しないようハンドル３８に連結することが可能である。他方では、剃刀カートリッジ３６は選択的にハンドル又はディスペンシング装置１０から離脱させることが可能である。同様に、シェービング補助ディスペンシング装置１０は、シェービング補助ディスペンシング装置１０が通常の使用において離脱しないようハンドル３８に連結させることが可能である。他方では、製品の最終的な使用目的に応じて、シェービング補助装置１０は、離脱可能なようにハンドル３８連結させることも可能である。
【００２５】
操作において、ユーザは、芯１８の外面３２及び剃刀カートリッジ３６の一枚又は複数の刃先４０をシェーブする面に接触するよう移動する。ユーザがシェービング装置３９をシェーブする面に移動するにつれて、芯１８はシェービング補助物質１６をストレージ媒体１４から芯１８を介して毛管運動により汲み上げるよう作用する。これにより、シェービング補助物質１６はシェーブされる面に直接適用される。同様に、ユーザがシェービング装置３９をシェーブされる面に移動することにより、一枚又は複数の刃先４０は皮膚上の不要な毛をシェーブするよう作用する。
【００２６】
本発明は、その詳細な実施例に関して明らかにされ説明されているが、当業者によって理解されるように、本発明の多様な変更は、本発明の精神及び範囲を逸脱することなくなされる。
【図面の簡単な説明】
【００２７】
【図１】図４の線１−１に沿った本発明のシェービング補助ディスペンシング装置の断面図である。
【図２】単一の容器を持つディスペンシング装置の斜視図である。
【図２Ａ】複数の容器を持つディスペンシング装置の斜視図である。
【図２Ｂ】複数の容器を持つディスペンシング装置の斜視図である。
【図３】図２又は図２Ａの線３−３に沿ったストレージ媒体を持つディスペンシング装置の側断面図である。
【図４】本発明のシェービング補助ディスペンシング装置の斜視図である。
【図４Ａ】複数の容器を持つシェービング補助ディスペンシング装置の斜視図である。
【図４Ｂ】複数の容器を持つシェービング補助ディスペンシング装置の斜視図である。
【図５】本発明のシェービング装置の斜視図である。
【図６】複数の多方向性の刃先を持つ本発明のシェービング装置の斜視図である。
【図１】
2007504928.tif 000003
【図２】
2007504928.tif 000004
【図２Ａ】
2007504928.tif 000005
【図２Ｂ】
2007504928.tif 000006
【図３】
2007504928.tif 000007
【図４】
2007504928.tif 000008
【図４Ａ】
2007504928.tif 000009
【図４Ｂ】
2007504928.tif 000010
【図５】
2007504928.tif 000011
【図６】
2007504928.tif 000012
【国際調査報告】
2007504928.tif 000013
2007504928.tif 000014